(57)【特許請求の範囲】
【請求項１】
カラー画像が分解されてなる複数の単色画像を表す複数の多階調画像データを入力し、該多階調画像データに色に対応して定められてなる閾値マトリックスを作用させることにより、カラー画像が分解されてなる複数の単色画像を表す複数の網点画像データを生成する網点生成装置において、
前記閾値マトリックスのうちの少なくとも１つの第１の閾値マトリックスと、該第１の閾値マトリックスを作用させる多階調画像データにより表される第１の単色画像との間の位相を選択する位相選択部と、
前記位相選択部で選択された位相が実現されるように、前記第１の閾値マトリックスと前記第１の単色画像との間の相対的な位相を調整する位相調整部と、
前記複数の多階調画像データのうちの、前記第１の単色画像を除く単色画像を表す多階調画像データには、該多階調画像データに対応する閾値マトリックスを、固定的に定められた位相で作用させるとともに、前記複数の多階調画像データのうちの、前記第１の単色画像を表す多階調画像データについては前記第１の閾値マトリックスを、前記位相調整部で調整された位相で作用させることにより、カラー画像が分解されてなる複数の単色画像を表す複数の網点画像データを生成するデータ生成部と、
画像全域にわたって一様な値を持つ一様画像を表わすロゼッタ模様評価用の多階調画像データを生成する画像生成部と、
前記画像生成部で生成された多階調画像データに各閾値マトリックスを作用させることにより得られる各網点画像データの集合により表される画像上のロゼッタ模様を表示する表示部と、
網点面積率を選択する網点面積率選択部を備えるとともに、前記網点面積率選択部で選択された網点面積率の各単色画像が得られるように、前記各閾値マトリックスを構成する各閾値と、前記一様画像の濃度レベルとの相対値を調整する網点面積率調整手段とを備えたことを特徴とする網点生成装置。
【請求項２】
カラー画像が分解されてなる複数の単色画像を表す複数の多階調画像データを入力し、該多階調画像データに色に対応して定められてなる閾値マトリックスを作用させることにより、カラー画像が分解されてなる複数の単色画像を表す複数の網点画像データを生成する網点生成装置において、
前記閾値マトリックスのうちの少なくとも１つの第１の閾値マトリックスと、該第１の閾値マトリックスを作用させる多階調画像データにより表される第１の単色画像との間の位相を選択する位相選択部と、
前記位相選択部で選択された位相が実現されるように、前記第１の閾値マトリックスと前記第１の単色画像との間の相対的な位相を調整する位相調整部と、
前記複数の多階調画像データのうちの、前記第１の単色画像を除く単色画像を表す多階調画像データには、該多階調画像データに対応する閾値マトリックスを、固定的に定められた位相で作用させるとともに、前記複数の多階調画像データのうちの、前記第１の単色画像を表す多階調画像データについては前記第１の閾値マトリックスを、前記位相調整部で調整された位相で作用させることにより、カラー画像が分解されてなる複数の単色画像を表す複数の網点画像データを生成するデータ生成部と、
前記第１の閾値マトリックスと前記第１の単色画像との間の位相を選択するための操作子とを備え、
前記位相選択部が該操作子の操作に応じて該位相を選択するものであることを特徴とする網点生成装置。
【請求項３】
前記位相選択部が、前記複数の網点画像データにより表されるカラー画像上にクリアセンタのロゼッタ模様があらわれる位相と、ドットセンタのロゼッタ模様があらわれる位相との間における複数の位相のうちのいずれかの位相を選択するものであることを特徴とする請求項１又は２記載の網点生成装置。
【請求項４】
前記位相調整部が、前記第１の単色画像に対する前記第１の閾値マトリックスの位相を調整するものであることを特徴とする請求項１又は２記載の網点生成装置。
【請求項５】
前記位相調整部が、前記第１の閾値マトリックスに対する前記第１の単色画像の位相を調整するものであることを特徴とする請求項１又は２記載の網点生成装置。
【請求項６】
網点面積率を調整する操作子を備え、前記網点面積率選択部が該操作子の操作に応じて網点面積率を選択することを特徴とする請求項１記載の網点生成装置。
【請求項７】
ロゼッタ模様評価用の多階調画像データを生成する画像生成部と、前記画像生成部で生成された多階調画像データに各閾値マトリックスを作用させることにより得られる各網点画像データの集合により表される画像上のロゼッタ模様を表示する表示部とを備えたことを特徴とする請求項２記載の網点生成装置。
【請求項８】
前記画像生成部は、ロゼッタ模様評価用の多階調画像データとして画像全域にわたって一様な値を持つ一様画像を表わす多階調画像データを生成するものであることを特徴とする請求項７記載の網点生成装置。
【請求項９】
コンピュータシステムで実行されることにより、該コンピュータシステムを、カラー画像が分解されてなる複数の単色画像を表す複数の多階調画像データを入力し、該多階調画像データに色に対応して定められてなる閾値マトリックスを作用させることにより、カラー画像が分解されてなる複数の単色画像を表す複数の網点画像データを生成する網点生成装置として動作させる網点生成プログラムが記憶されてなる網点生成プログラム記憶媒体において、
該コンピュータシステム上に、
前記閾値マトリックスのうちの少なくとも１つの第１の閾値マトリックスと、該第１の閾値マトリックスを作用させる多階調画像データにより表される第１の単色画像との間の位相を選択する位相選択部と、
前記位相選択部で選択された位相が実現されるように、前記第１の閾値マトリックスと前記第１の単色画像との間の相対的な位相を調整する位相調整部と、
前記複数の多階調画像データのうちの、前記第１の単色画像を除く単色画像を表す多階調画像データには、該多階調画像データに対応する閾値マトリックスを、固定的に定められた位相で作用させるとともに、前記複数の多階調画像データのうちの、前記第１の単色画像を表す多階調画像データについては前記第１の閾値マトリックスを、前記位相調整部で調整された位相で作用させることにより、カラー画像が分解されてなる複数の単色画像を表す複数の網点画像データを生成するデータ生成部と、
前記第１の閾値マトリックスと前記第１の単色画像との間の位相を選択するための操作子であって、前記位相選択部が該操作子の操作に応じて該位相を選択する操作子とを構築させる網点生成プログラムが記憶されてなることを特徴とする網点生成プログラム記憶媒体。
【請求項１０】
カラー画像が分解されてなる複数の単色画像を表す複数の多階調画像データを入力し、該多階調画像データに色に対応して定められてなる閾値マトリックスを作用させることにより、カラー画像が分解されてなる複数の単色画像を表す複数の網点画像データを生成し、該網点画像データを用いてカラー画像を出力する網点カラープルーファ装置において、
前記閾値マトリックスのうちの少なくとも１つの第１の閾値マトリックスと、該第１の閾値マトリックスを作用させる多階調画像データにより表される第１の単色画像との間の位相を選択する位相選択部と、
前記位相選択部で選択された位相が実現されるように、前記第１の閾値マトリックスと前記第１の単色画像との間の相対的な位相を調整する位相調整部と、
前記複数の多階調画像データのうちの、前記第１の単色画像を除く単色画像を表す多階調画像データには、該多階調画像データに対応する閾値マトリックスを、固定的に定められた位相で作用させるとともに、前記複数の多階調画像データのうちの、前記第１の単色画像を表す多階調画像データについては前記第１の閾値マトリックスを、前記位相調整部で調整された位相で作用させることにより、カラー画像が分解されてなる複数の単色画像を表す複数の網点画像データを生成するデータ生成部と、
前記データ生成部により生成された複数の網点画像データを用いてカラー画像を出力する出力部と、
前記第１の閾値マトリックスと前記第１の単色画像との間の位相を選択するための操作子とを備え、
前記位相選択部が該操作子の操作に応じて該位相を選択するものであることを特徴とする網点カラープルーファ装置。
【発明の詳細な説明】
【０００１】
【発明の属する技術分野】
本発明は、カラー画像が分解されてなる複数の単色画像を表す複数の網点画像データを生成する網点生成装置、およびコンピュータシステムを網点生成装置として動作させるプログラムを記憶してなる網点生成プログラム記憶媒体に関する。
【０００２】
【従来の技術】
従来、カラー画像の印刷物作成は、カラー画像のカラースキャナなどによる取り込み、取り込まれたカラー画像等を編集する集版、集版によって完成された画像を表すＹ（イエロ）、Ｍ（マゼンタ）、Ｃ（シアン）、Ｋ（ブラック）各色版の多階調画像データを読み込んで、それらの各多階調画像データに応じたＹＭＣＫ各色版の網点画像データを生成する網点生成装置による網点画像データ生成、これらの各色版の網点画像データに応じたＹＭＣＫ各色版の網点画像を担持する各色版用の製版フィルムの作成、これらの製版フィルムを用いて行われる各色版用の刷版の焼き付けといった過程を経て行われ、最終的に、所定の印刷機によって、これらの刷版を用いて、上記ＹＭＣＫ各色版の網点画像が互いに重ね合わせられてなるカラー画像が所定の媒体に印刷される。
【０００３】
カラー画像の印刷は一般にこのように大がかりなものとなるため、印刷物作成に携わる印刷オペレータは、印刷の前にそのカラー画像を簡易に再現するプルーファを用い、そのプルーファによってプリンタなどにより出力されたプルーフ画像を参考にして最終的に印刷されるカラー画像の仕上がりの確認を行っている。
【０００４】
これらのカラー画像を構成するＹ、Ｍ、Ｃ、Ｋ各色版の網点画像は、例えば、それぞれ０°、１５°、４５°、７５°の角度に傾いて配列した網点のスクリーン（網版）によって構成され、これらの網点画像では、個々の網点の面積変調によって画像の階調が表される。なお、網点画像における網点の配列は、上記角度の他に、網点の列からなる線の密度を表す線数によって規定される。これらの網点画像それぞれが重ね合わせられたカラー画像には、色の薄いＹ版を除くＭＣＫ版の重なりに起因して、印刷された画像に特有のロゼッタ模様が生ずる。
【０００５】
このロゼッタ模様ができる条件は、古くから解析されており、例えば特開平２−５８１７６号公報のなかで説明されているように、網版の網点の並びを波のようにとらえて、角度１５°の網版および角度７５°の網版の互いの重なりによって生成される１次モアレ成分と、角度４５°の網版との互いの重なりによって２次モアレが発生しないように、いいかえれば、１次モアレ成分と角度４５°の網版との波数成分が一致するように、網点の線数および角度を設定することによってロゼッタ模様が形成される。
【０００６】
印刷で用いられる網点の角度の組み合わせは、一般に１５°、４５°、７５°であるが、これらの角度の間の相対角度が３０度づつ離れたものであることが重要であり、この組み合わせの角度に固定されるものではない。例えば、２２．５°、５２．５°、８２．５°という組み合わせ等でもロゼッタ模様が生じることはよく知られている。なお、網点は一般に正方格子状に配列しているため、その角度にさらに±９０°あるいは１８０°加えた角度にも配列しており、網点の角度は、その±９０°あるいは１８０°を加えた角度で呼ばれる場合もある。
【０００７】
このロゼッタ模様には、ピーターフィンク著「ポストスクリプトスクリーニング」（インプレス）Ｐ５６〜Ｐ５７に示されるように、「クリアセンタ」と「ドットセンタ」の２種類のロゼッタ模様が存在することがよく知られている。
【０００８】
図２５は、クリアセンタのロゼッタ模様を示す図であり、図２６は、ドットセンタのロゼッタ模様を示す図である。
【０００９】
図２５に示されるように、クリアセンタのロゼッタ模様は、白く抜けた中心部分ａ１を有し、その中心部分近傍で円環状に広がる網点の模様を持つ。また、図２６に示されるように、ドットセンタのロゼッタ模様は、網点の入った中心部分ａ２を有し、その中心部分ａ２近傍で円環状に広がる網点の模様を持つ。
【００１０】
このクリアセンタのロゼッタ模様とドットセンタのロゼッタ模様とは、これらの模様を構成する３つの網版のうち、例えば１つの網版を他の２つの網版に対して重ね合わせる位置をずらすことにより、互いの間を移り変わることが知られている。実際にも、上記製版フィルムを出力するフィルムセッターに接続されている、文字や画像の情報をビットマップに展開するＲＩＰ（Ｒａｓｔｅｒ  Ｉｍａｇｅ  Ｐｒｏｃｅｓｓｏｒ）に、ＹＭＣＫ各色版の網点画像データのセットに対してクリアセンタとドットセンタのいずれかのロゼッタ模様を画像に応じて選択できるものがある。このようなロゼッタ模様の相違は、上記３つの網版の重ね合わせの位置のずれにより各網版の網点の重なり方が相違することに起因して生ずる。以下では、例えばクリアセンタのロゼッタ模様を構成する上記３つの網版のそれぞれの位置を基準位置とし、それらの基準位置それぞれから見た上記３つの各網版の位置を、それらの各網版における網点の位相と称する。
【００１１】
但し、上述した、従来のカラー画像印刷物作成上の様々な工程において、各色版の位置がずれる見当ずれが発生する。例えば、網点画像データが上記クリアセンタあるいはドットセンタを表すロゼッタ模様を表すものであったとしても、実際の印刷物では、上記のクリアセンタのロゼッタ模様およびドットセンタのロゼッタ模様が常に生ずるわけではない。
【００１２】
また、ロゼッタ模様は、上記２次モアレの発生を抑制するという意味で好ましいものであるが、ロゼッタ模様そのものも、図２５、図２６のようにきれいに発生した場合には、肉眼でも視認されるようになり画像上好ましいものではなくなる。以下では、上記クリアセンタのロゼッタ模様やドットセンタのロゼッタ模様のように画像上好ましくないロゼッタ模様を、ロゼッタモアレと称する。なお、従来の印刷物作成上の様々な工程において見当ずれが発生するため、実際の印刷物ではこの見当ずれによる各色版の間の位相が上記のクリアセンタのロゼッタ模様およびドットセンタのロゼッタ模様を実現する位相に近い場合にロゼッタモアレが生ずる。
【００１３】
このロゼッタモアレの発生を抑える方法として、特開平２−１３４６３５号公報に、１つの色版の網点の位相を、クリアセンタを実現する位相とドットセンタを実現する位相のちょうど中間の位相になるようにずらす方法が提案されている。この中間の位相は、クリアセンタのロゼッタ模様およびドットセンタのロゼッタ模様それぞれを実現するそれぞれの位相のいずれからも遠ざけられた位相であり、この方法によって、従来のカラー印刷物の作成工程における各色版の見当ずれが小さい場合にはロゼッタモアレの発生が抑えられる。
【００１４】
【発明が解決しようとする課題】
しかし、近年、印刷工程のデジタル化が進み、ページデータの集版もデジタル化されて集版時における各色版の見当を合わせる見当精度が向上し、また、刷版焼きつけにおいても、刷版に直接デジタルデータを書き込むＣＴＰ（Ｃｏｍｐｕｔｅｒ  Ｔｏ  Ｐｌａｔｅ）や、印刷機のシリンダー上の刷版に直接デジタルデータを書き込むＣＴＣ（Ｃｏｍｐｕｔｅｒ  Ｔｏ  Ｃｙｌｉｎｄｅｒ）では高い見当精度が実現されている。このため、特に各色版の網点の位相制御が行われない場合には、印刷物の画像に、従来には見当ずれによって目立たなかったロゼッタモアレが発生して肉眼で視認される傾向が見られる。このロゼッタモアレの発生は、上記の方法のように、１つの色版の網点の位相が、上述したクリアセンタおよびドットセンタそれぞれを実現するそれぞれの位相の双方から遠ざけられることによって抑制されるが、上述したように高い見当精度が実現されている状況では、ロゼッタモアレを避けるために上述した中間の位相に固定する必要はなく、位相を自由に変えることによってロゼッタ模様をユーザの好みに合わせて変更することが望まれる。
【００１５】
また、従来どおりのフィルムセッターを用いる印刷物作成の工程では、製版フィルムの作成や刷版の焼き付けにおいて見当ずれを生ずることが多いので、最終的に得られる印刷物にロゼッタモアレが発生しない場合もある。しかし、プルーファは一般に描画位置の繰り返し精度が高く、特に、各色版の網点の位相制御が行われない場合には、出力されたプルーフ画像にロゼッタモアレが発生する。このようなロゼッタモアレの発生により、このプルーフ画像は、印刷物の画像を近似して作成されたものであるにもかかわらず、実際の印刷物の画像とは異なった印象のものとなるおそれがある。そこで、その印刷物の画像の見当ずれの程度に合わせて、プルーフ画像を構成する各色版のうちの少なくとも１つの色版における網点の位相を自由に調整することにより、このプルーフ画像の、印刷物の画像に対する再現性を高めることが望まれる。
【００１６】
本発明は、上記事情に鑑み、少なくとも１つの色版において網点の位相の設定が自在な網点生成装置、およびコンピュータシステムで起動することによりそのコンピュータシステムを網点生成装置として動作させるプログラムを記憶した網点生成プログラム記憶媒体を提供することを目的とする。
【００１７】
【課題を解決するための手段】
上記目的を達成する本発明の網点生成装置は、
カラー画像が分解されてなる複数の単色画像を表す複数の多階調画像データを入力し、その多階調画像データに色に対応して定められてなる閾値マトリックスを作用させることにより、カラー画像が分解されてなる複数の単色画像を表す複数の網点画像データを生成する網点生成装置であって、
上記閾値マトリックスのうちの少なくとも１つの第１の閾値マトリックスと、その第１の閾値マトリックスを作用させる多階調画像データにより表される第１の単色画像との間の位相を選択する位相選択部と、
上記位相選択部で選択された位相が実現されるように、上記第１の閾値マトリックスと上記第１の単色画像との間の相対的な位相を調整する位相調整部と、
上記複数の多階調画像データのうちの、上記第１の単色画像を除く単色画像を表す多階調画像データには、その多階調画像データに対応する閾値マトリックスを、固定的に定められた位相で作用させるとともに、上記複数の多階調画像データのうちの、上記第１の単色画像を表す多階調画像データについては上記第１の閾値マトリックスを、上記位相調整部で調整された位相で作用させることにより、カラー画像が分解されてなる複数の単色画像を表す複数の網点画像データを生成するデータ生成部とを備えたことを特徴とする。
【００１８】
なお、上記第１の閾値マトリックスが２つ以上存在する場合には、上記位相選択部は、それらの第１の閾値マトリックスそれぞれを作用させる第１の単色画像それぞれに対して異なる位相を選択することができる。
【００１９】
この本発明の網点生成装置では、例えばユーザの操作に応じて上記位相選択部における、上記第１の閾値マトリックスと上記第１の単色画像との間の位相の選択が行われることにより、カラー画像が分解されてなる複数の単色画像の網点の位相が任意に変更される。このように網点の位相が調整された複数の単色画像を重ね合わせたカラー画像には、これらの各単色画像の網点の位相に応じた様々なロゼッタ模様が現れる。
【００２０】
この網点生成装置を、所定のカラー印刷装置に入力される各色版の網点画像データを生成する装置として用いることにより、このカラー印刷装置によって、網点の位相が調整された各色版の網点画像データに基づいて印刷された画像は、ロゼッタモアレの目立たない画像となる。
【００２１】
また、この網点生成装置をプルーファにおいて用い、このプルーファがシミュレートする印刷物の画像の見当ずれの程度に合わせて、各色版の網点画像データの表す網点の位相がこの網点生成装置によって調整されることにより、このプルーファが出力するプルーフ画像によって、その印刷物の画像を網点のロゼッタ模様が少なくとも近似的に再現される。
【００２２】
上記本発明の網点生成装置は、上記位相選択部が、上記複数の網点画像データにより表されるカラー画像上にクリアセンタのロゼッタ模様があらわれる位相と、ドットセンタのロゼッタ模様があらわれる位相との間における複数の位相のうちのいずれかの位相を選択するものであることが好ましい。
【００２３】
この網点生成装置によって、上記複数の網点画像データにより表されるカラー画像の網点に、例えばユーザの操作に応じて、クリアセンタのロゼッタ模様からドットセンタのロゼッタ模様に亘る様々なロゼッタ模様が実現される。
【００２４】
また、上記本発明の網点生成装置には、上記位相調整部が、上記第１の単色画像に対する上記第１の閾値マトリックスの位相を調整するものがある。
【００２５】
また、上記本発明の網点生成装置には、上記位相調整部が、上記第１の単色画像の、上記第１の閾値マトリックスに対する位相を調整するものがある。
【００２６】
また、上記本発明の網点生成装置は、ロゼッタ模様評価用の多階調画像データを生成する画像生成部と、
上記画像生成部で生成された多階調画像データに各閾値マトリックスを作用させることにより得られる各網点画像データの集合により表される画像上のロゼッタ模様を表示する表示部とを備えたものであることが好ましい。
【００２７】
ここで、この画像生成部は、その都度多階調画像データを生成するものであってもよく、あるいは記憶されている多階調画像データを読み出すものであってもよい。
【００２８】
この網点生成装置によって、上記表示部にロゼッタ模様が表示されるため、ユーザは、様々な位相で実現されるロゼッタ模様のチェックを容易に行うことができる。
【００２９】
この場合に、上記画像生成部は、ロゼッタ模様評価用の多階調画像データとして画像全域にわたって一様な値を持つ一様画像を表わす多階調画像データを生成するものであることがさらに好ましい。
【００３０】
ロゼッタ模様評価用として一様画像を用いると、特に観察評価しやすいロゼッタ模様を表示することができる。
【００３１】
ここで、上記表示部を備えた網点生成装置は、網点面積率を選択する網点面積率選択部を備えるとともに、
上記網点面積率選択部で選択された網点面積率の各単色画像が得られるように、上記各閾値マトリックスを構成する各閾値と、上記一様画像の濃度レベルとの相対値を調整する網点面積率調整手段を備えたものであることが好ましい。
【００３２】
この網点生成装置によって、ユーザは、様々な位相で実現される、様々な網点面積率でのロゼッタ模様をチェックすることができる。
【００３３】
上記本発明の網点生成装置は、上記第１の閾値マトリックスと上記第１の単色画像との間の位相を選択するための操作子を備え、上記位相選択部がその操作子の操作に応じてその位相を選択するものであることが好ましい。
【００３４】
上記網点面積率調整手段を備えた網点生成装置は、網点面積率を調整する操作子を備え、上記網点面積率選択部がその操作子の操作に応じて網点面積率を選択するものであることが好ましい。
【００３５】
これらの操作子によって、ユーザによる、上記位相および上記網点面積率の選択が容易となる。
【００３６】
上記目的を達成する本発明の網点生成プログラム記憶媒体は、
コンピュータシステムで実行されることにより、そのコンピュータシステムを、カラー画像が分解されてなる複数の単色画像を表す複数の多階調画像データを入力し、その多階調画像データに色に対応して定められてなる閾値マトリックスを作用させることにより、カラー画像が分解されてなる複数の単色画像を表す複数の網点画像データを生成する網点生成装置として動作させる網点生成プログラムが記憶されてなる網点生成プログラム記憶媒体であって、
上記閾値マトリックスのうちの少なくとも１つの第１の閾値マトリックスと、その第１の閾値マトリックスを作用させる多階調画像データにより表される第１の単色画像との間の位相を選択する位相選択手段と、
上記位相選択手段で選択された位相が実現されるように、上記第１の閾値マトリックスと上記第１の単色画像との間の相対的な位相を調整する位相調整手段と、
上記複数の多階調画像データのうちの、上記第１の単色画像を除く単色画像を表す多階調画像データには、その多階調画像データに対応する閾値マトリックスを、固定的に定められた位相で作用させるとともに、上記複数の多階調画像データのうちの、上記第１の単色画像を表す多階調画像データについては上記第１の閾値マトリックスを、上記位相調整手段で調整された位相で作用させることにより、カラー画像が分解されてなる複数の単色画像を表す複数の網点画像データを生成するデータ生成手段とを有する網点生成プログラムが記憶されてなることを特徴とする。
【００３７】
上記網点生成プログラムがコンピュータシステムで実行されることにより、上記網点生成装置として動作するコンピュータシステムは、上記本発明の網点生成装置と同じ作用効果を奏する。
【００３８】
なお、網点生成装置と網点生成プログラムとで構成要素に類似した名前をつけたけれども、それらの構成要素は、網点生成装置ではハードウェアおよびソフトウェアを意味し、網点生成プログラムではソフトウェアのみを意味する。
【００３９】
【発明の実施の形態】
以下、本発明の実施形態について説明する。
【００４０】
図１は、本発明の網点生成装置の一実施形態とＣＴＰとが組み合わせられた状態を示す図である。
【００４１】
同図には、コンピュータシステムに実現された網点生成装置１００およびＣＴＰ６００が示される。これらの網点生成装置１００およびＣＴＰ６００と、図示しない印刷機とによってカラー画像を印刷する印刷システムが構成される。なお、以下では、この網点生成装置１００をコンピュータシステムとしての側面から取り上げる場合には、この網点生成装置１００をコンピュータシステム１００と称する。
【００４２】
この網点生成装置１００、すなわちコンピュータシステム１００は、ＣＰＵ、主記憶装置、ハードディスク、通信用ボード等が内蔵された本体部１０１、この本体部１０１からの指示により表示画面１０２ａ上に画面や文字列の表示を行うＣＲＴディスプレイ１０２、このコンピュータシステムにユーザの指示や文字情報を入力するためのキーボード１０３、上記表示画面１０２ａ上の任意の位置を指定することにより、その指定時にその位置に表示されていたアイコン等に応じた指示を入力するマウス１０４を備えている。
【００４３】
本体１０１には、ＣＤ−ＲＯＭ１０５が取り出し自在に装填され、そのように装填されたＣＤ−ＲＯＭ１０５に記憶された情報を再生するＣＤ−ＲＯＭドライブが内蔵されている。また、本体１０１には、図１には図示しないＭＯ１０６が取り出し自在に装填され、そのように装填されたＭＯ１０６に対し情報の記録再生を行うＭＯドライブも内蔵されている。
【００４４】
この網点生成装置１００には、例えばＣＭＹＫ各色版の多階調画像データそれぞれが、図示しない外部のコンピュータから通信網を介して入力されるか、あるいは、ＣＤ−Ｒ（Ｃｏｍｐａｃｔ  Ｄｉｓｃ  Ｒｅｃｏｒｄａｂｌｅ）やＭＯ（光磁気ディスク）等の記憶媒体によって入力される。この網点生成装置１００は、入力された各色版の多階調画像データを変換してＣＭＹＫ各色の網点画像データを生成する。このように生成された網点画像データは上記ＣＴＰ６００に渡される。ＣＴＰ６００は、フィルムセッターを介することなく直接に刷版を焼き付ける装置であり、このＣＴＰ６００により、上記のように渡された網点画像データに基づいて、ＣＭＹＫ各色用の刷版に露光し親油性と親水性の２つの状態の違いを発生させることにより各色版の画像がそれらの各刷版に焼き付けられる。このように各色版の画像が焼き付けられた各色版用の刷版は、上記印刷機がドラムを有する場合、そのドラムに巻き付けられ、ドラム上の刷版にはその刷版の画像が表す色のインクが塗布される。この印刷機によって、各色のインクが印刷用の用紙上に順に転写されることにより、このドラム上の各色版用の刷版に焼き付けられた各色版の網点画像に応じたカラー画像の印刷物が完成する。
【００４５】
ここで、網点生成装置１００の上記表示画面１０２ａには、図２、図３に示す位相調整画面が切り替え自在に表示される。
【００４６】
図２は、本実施形態の網点生成装置の位相調整画面を示す図である。
【００４７】
図３は、本実施形態の網点生成装置の、ロゼッタ模様を表示する第１の位相調整画面を示す図である。
【００４８】
図２に示される位相調整画面では、カラーの網点画像ｃ１と、位相調整用のスライドバーｂ１が表示される。このカラーの網点画像ｃ１は、最終的に上記印刷機によって印刷される網点画像をシミュレートした画像であり、網点生成装置１００によって生成された各色版の網点画像データによって表される各色版の画像が重ね合わせられてなるカラー画像である。
【００４９】
図３に示される位相調整画面では、ロゼッタ模様ｃ２と、上記位相調整用のスライドバーｂ１と、網点面積率変更用のスライドバーｂ２が示される。このロゼッタ模様ｃ２は、この網点面積率変更用のスライドバーｂ２の操作に応じて決定される網点面積率を有する網点の画像を、この位相調整用のスライドバーｂ１の操作に応じて決定される位相で重ね合わせた画像であり、ロゼッタ模様がはっきりわかるように表示される。なお、このようにロゼッタ模様を表示する位相調整画面には様々なものが考えられ、後に、ロゼッタ模様を表示する第２〜第７の位相調整画面について説明する。
【００５０】
なお、この網点生成装置１００では、網点生成装置１００が生成するＣＭＹＫ各色版の網点画像データが、上記スライドバーｂ１の操作に応じて、Ｃ版画像の網点の位相についてのみ調整されるものであるとするが、Ｍ版画像の網点の位相、Ｋ版画像の網点の位相などについて調整されるものであってもよく、これらの網点の位相のうちの２つ以上の位相について独立に調整されるものであってもよい。
【００５１】
ユーザは、この位相調整画面に表示されるカラーの網点画像ｃ１を見ながら、キーボード１０３、マウス１０４等の操作を通じて位相調整用のスライドバーｂ１を操作することによりＣ版画像の網点の位相の調整を行い、最終的に印刷機によって印刷されるカラー網点画像の網点のロゼッタ模様を、クリアセンタ（Ｃ．Ｃ．）のロゼッタ模様からドットセンタ（Ｄ．Ｃ．）のロゼッタ模様まで所望の模様に調整することができる。
【００５２】
また、ユーザは、キーボード１０３、マウス１０４等の操作を通じて、網点面積率変更用のスライドバーｂ２によって網点面積率を振りつつ、位相調整用のスライドバーｂ１を操作することにより、この位相調整画面に表示される様々な網点面積率でのロゼッタ模様を確認しながらＣ版画像の網点の位相の調整を行い、最終的に印刷機によって印刷されるカラー網点画像の網点のロゼッタ模様を、クリアセンタのロゼッタ模様からドットセンタのロゼッタ模様まで所望の模様に調整することができる。
【００５３】
図４は、本発明の網点生成装置の一実施形態が適用されたプルーファと、印刷システムとを示す図である。
【００５４】
同図には、網点生成装置１００およびプリンタ２００によって構成されるプルーファ、並びにコンピュータシステム４００、フィルムセッター５００、図示しない刷版焼付機、および同じく図示しない印刷機からなる印刷システムが示される。これらの網点生成装置１００とコンピュータシステム４００とは通信網３００を介して互いに接続されている。また、この通信網３００はこれらのコンピュータ以外の図示しない外部のコンピュータシステムとも接続されている。
【００５５】
同図に示す印刷システムが図１の印刷システムと異なる点は、コンピュータシステム４００が、本発明の網点生成装置に相当するものではなく、上述したような網点の位相の調整を行わない従来の網点生成装置である点、および図１に示す印刷システムにおけるＣＴＰ６００の役割を、フィルムセッター５００と刷版焼付機が果たしている点である。同図に示す、このフィルムセッター５００と刷版焼付機とを用いる印刷システムでは、一般に、各色版の画像の見当ずれが大きい。
【００５６】
プルーファは、印刷システムによって印刷される画像の仕上がりの事前確認を行うための、その印刷システムによって印刷される画像がシミュレートされたプルーフ画像を出力するものである。プルーファの網点生成装置１００には、上記通信網３００を介して、あるいはＣＤ−Ｒ、ＭＯなどの記憶媒体を介して、上記コンピュータシステム４００に入力されたものと同じ、ＣＭＹＫ各色版の多階調画像データそれぞれが入力される。入力された多階調画像データは、この網点生成装置１００によってプルーフ用の各色の網点画像データそれぞれに変換され、このように変換されたプルーフ用の各色のそれぞれの網点画像データは、プリンタ２００へ出力される。プリンタ２００はこれらの網点画像データを受け取り、受け取った網点画像データそれぞれに基づいて記録用紙にカラーのプルーフ画像をプリント出力する。
【００５７】
このような網点生成装置１００と接続するプリンタ２００としては、特に、ＬＤまたはＬＥＤ等の発光体をｏｎ−ｏｆｆすることで網版を作成するものであって、一つの記録媒体上に多色分の画像を書き込む装置が有効である。例えば、Ｒ、Ｇ、Ｂ３色の光源を用いて、銀塩感光材料にＣＭＹＫの画像を書き込む装置や、受像紙に対してドナーシートを密着させレーザー露光することで色材を受像紙に転写するという操作をＹＭＣＫ各色に対し繰り返し、受像紙上にカラー画像を作成して最後に本紙に転写しカラー画像を得る装置があげられる。
【００５８】
ここで、図４に示す印刷機によって印刷された網点画像には、数々の見当精度悪化要因により、通常きれいなロゼッタ模様が発生しない。従って、実際の印刷物に近似するには、わざと見当精度の悪化相当のズレを与えたデータを用いてプルーフ画像をプリントすればよい。
【００５９】
ユーザは、図１に示す印刷システムの網点生成装置１００の場合と同様にして、位相調整画面を見ながら、この網点生成装置１００が生成するＣＭＹＫ各色の網点画像データが表す各色の画像の網点の位相を調整することができる。例えば、ユーザが、上記印刷システムにおいて以前に印刷された網点画像を参考にして、この印刷システムにおける見当ずれの癖を再現するように網点の位相の調整を行うことによって、上記印刷機により印刷されたカラー画像を、少なくとも近似的に、色のみならず網点がなすロゼッタ模様についても再現したプルーフ画像がプリント出力される。
【００６０】
以下、図１に示す印刷システムおよび図４に示すプルーファの双方で使用され、上述したように少なくとも１つの色版において網点の位相の調整が自在な網点生成装置１００について詳しく説明する。
【００６１】
まず、網点生成装置１００、すなわちコンピュータシステム１００のハードウェア構成は以下のようになる。
【００６２】
図５は、コンピュータシステムのハードウェア構成図である。
【００６３】
このハードウェア構成図には、ＣＰＵ（中央演算処理装置）１１１、ＲＡＭ１１２、ＨＤＤ（ハードディスクドライブ）１１３、ＭＯドライブ１１４、ＣＤ−ＲＯＭドライブ１１５、および通信用ボード１１６が示されており、それらはバス１１０で相互に接続されている。
【００６４】
ＨＤＤ１１３は、記録媒体であるハードディスク１２０を内蔵しており、この磁気ディスク１２０に対し情報の記録再生を行う。
【００６５】
通信用ボード１１６は、ＬＡＮ等の通信回線に接続される。図４に示すコンピュータシステム１００は、この通信用ボード１１６を介して接続される通信網３００によってコンピュータシステム４００をはじめとする他のコンピュータシステムとの間でデータの送受信を行うことができる。
【００６６】
また、図５には、図示しない複数のＩ／Ｏインターフェースそれぞれを介してバス１１０に接続された、マウス１０４、キーボード１０３、ＣＲＴディスプレイ１０２、およびプリンタ２００が示されている。但し、図１に示すコンピュータシステム１００に対しては、このプリンタ２００の代わりに、図５には図示しないＣＴＰ６００が、図示しないＩ／Ｏインターフェースを介してバス１１０に接続される。
【００６７】
図６は、本発明の網点生成プログラム記憶媒体の一実施形態を示す図である。
【００６８】
本実施形態では、ＣＤ−ＲＯＭ１０５に、本発明にいう網点生成プログラムが記憶されている。この網点生成プログラムが記憶されたＣＤ−ＲＯＭ１０５は、本発明の網点生成プログラム記憶媒体の一実施形態に相当する。
【００６９】
図６（Ａ）に示すＣＤ−ＲＯＭ１０５に記憶された網点生成プログラム５０には、ソフトウェアとしての、多階調画像データ取得手段５１、一様画像生成手段５２、形状・線数・角度選択手段５３、網点面積率選択手段５４、位相選択手段５５、閾値テーブル群５６、網点画像データ出力手段５７、Ｃデータ変換手段６０、Ｍデータ変換手段７０、Ｙデータ変換手段８０、Ｋデータ変換手段９０が含まれる。なお、これらのＣＭＹＫ各色のデータ変換手段は１つのデータ変換手段に置き換えられてもよい。ここで、閾値テーブル群５６は、閾値のデータである閾値テーブルが集められたものである。この閾値テーブルは、本発明にいう閾値マトリックスに相当する。
【００７０】
また、Ｃデータ変換手段６０は、図６（Ｂ）に示されるように、閾値テーブル選択手段６１、この閾値テーブル選択手段６１に含まれる網点面積率調整手段６１＿１、閾値テーブル変換手段６７、画像ピクセル位置取出手段６３、閾値ピクセル位置設定手段６４、閾値設定手段６５、および比較手段６６を含む。なお、同図には閾値テーブル変換手段６７が示されているが、Ｃデータ変換手段６０に閾値テーブル変換手段６７が含まれない網点生成プログラムも、本実施形態の網点生成プログラムの１つである。また、本実施形態では、Ｍデータ変換手段７０、Ｙデータ変換手段８０、およびＫデータ変換手段９０は、Ｃデータ変換手段６０に含まれる各手段のうち、閾値テーブル変換手段６７を除く各手段を含む。但し、仮に、これらのＹＭＫ各色のデータ変換手段によっても網点の位相の調整が行われる場合には、これらのＹＭＫ各色のデータ変換手段は、閾値テーブル変換手段６７を含むものであってもよい。
【００７１】
本実施形態では、ＣＭＹＫ各色の比較手段が、本発明にいうデータ生成手段に相当し、Ｃデータ変換手段６０に閾値テーブル変換手段６７が含まれる場合には、その閾値テーブル変換手段６７が、本発明にいう位相調整手段に相当し、Ｃデータ変換手段６０に閾値テーブル変換手段６７が含まれない場合には、閾値ピクセル位置設定手段６４が、本発明にいう位相調整手段に相当する。
【００７２】
このＣＤ−ＲＯＭ１０５は本体１０１内に装填され、ＣＤ−ＲＯＭドライブ１１５からそのＣＤ−ＲＯＭ１０５に記憶された網点生成プログラム５０が読み込まれ、バス１１０を経由してハードディスク１２０内にインストールされる。
【００７３】
このハードディスク１２０内にインストールされた網点生成プログラム５０が起動されると、このハードディスク１２０内の網点生成プログラム５０はＲＡＭ１１２にロードされ、ＣＰＵ１１１により実行される。すなわち、このコンピュータシステム１００には、ソフトウェアと、そのソフトウェアを動作させる環境としてのハードウェアとの双方からなる、多階調画像データ取得部、一様画像生成部、形状・線数・角度選択部、網点面積率選択部、位相選択部、網点画像データ出力部、Ｃデータ変換部、Ｍデータ変換部、Ｙデータ変換部、Ｋデータ変換部が実現される。また、閾値テーブル群５６は、ハードディスク１２０に格納される。これらの各部の動作の詳細については後述する。
【００７４】
なお、このＣＤ−ＲＯＭ１０５に記憶された網点生成プログラム５０は、上記のようにしてコンピュータシステム１００のハードディスク内にインストールされるが、その網点生成プログラムがインストールされた状態のハードディスクも、本発明の網点生成プログラム記憶媒体の一実施形態に相当する。
【００７５】
また、図１、図４に示すコンピュータシステム１００では、網点生成プログラムを記憶するプログラム記憶媒体としてＣＤ−ＲＯＭ１０５を用いているが、本発明にいうプログラムを記憶する媒体は、ＣＤ−ＲＯＭに限られるものではなく、それ以外の光ディスク、ＭＯ、フロッピーディスク、磁気テープなどの記憶媒体でありえる。網点生成プログラムを記憶した状態にあるそれらのプログラム記憶媒体は、本発明の網点生成プログラム記憶媒体の一実施形態に相当する。
【００７６】
図７は、図１、図４に示す本実施形態の網点生成装置の概略構成図である。
【００７７】
同図に示す、本実施形態の網点生成装置１００は、ＣＭＹＫ各色版の多階調画像データを取得する多階調画像データ取得部１と、ＣＭＹＫ各色版の一様な濃度の多階調画像データを生成する一様画像生成部２と、網点の形状・線数・角度を選択する形状・線数・角度選択部３と、平網の場合の網点の網点面積率を選択する網点面積率選択部４と、網点の位相を選択する位相選択部５と、Ｃ、Ｍ、Ｙ、Ｋ、各色版の多階調画像データをそれぞれＣ、Ｍ、Ｙ、Ｋ、各色版の網点画像データに変換する、Ｃデータ変換部１０、Ｍデータ変換部２０、Ｙデータ変換部３０、およびＫデータ変換部４０と、上記表示画面１０２ａに相当し、ＣＭＹＫ各色版の網点画像データによって表される画像を表示する表示部６と、ＣＭＹＫ各色版の網点画像データを出力する網点画像データ出力部７とから構成されている。
【００７８】
この網点生成装置１００では、多階調画像データ取得部１によって、スキャナ等で読み込まれたＣＭＹＫ各色版の多階調画像データが外部から取得され、また、上記網点位相調整画面においてロゼッタ模様ｃ２が表示される場合には、一様画像生成部２によって生成された一様な濃度の多階調画像データが取得される。以下では、各色版の多階調画像データを、各ピクセル位置（ｉ，ｊ）においてピクセル値Ｇ（ｉ，ｊ）それぞれを有する個々の多階調画像データのセットとして｛Ｇ（ｉ，ｊ）｝と表す。また、この図７では、Ｃ版画像の多階調画像データ、Ｍ版画像の多階調画像データ、Ｙ版画像の多階調画像データ、Ｋ版画像の多階調画像データそれぞれを｛ＧC（ｉ，ｊ）｝、｛ＧM（ｉ，ｊ）｝、｛ＧY（ｉ，ｊ）｝、｛ＧK（ｉ，ｊ）｝と表す。これらの各色版の多階調画像データ｛ＧC（ｉ，ｊ）｝、｛ＧM（ｉ，ｊ）｝、｛ＧY（ｉ，ｊ）｝、および｛ＧK（ｉ，ｊ）｝それぞれは、多階調画像データ取得部１によって、上記の、Ｃデータ変換部１０、Ｍデータ変換部２０、Ｙデータ変換部３０、およびＫデータ変換部４０にそれぞれ出力される。
【００７９】
また、上記の、Ｃデータ変換部１０、Ｍデータ変換部２０、Ｙデータ変換部３０、およびＫデータ変換部４０それぞれによって変換されて生成される各網点画像データが表す各網点画像の網点の、ドット形状、線数、各色版の網点の角度が、ユーザによる所定の操作に応じて、形状・線数・角度選択部３によって選択される。
【００８０】
また、上記網点位相調整画面においてロゼッタ模様ｃ２が表示される場合の、上述した４つのデータ変換部それぞれによって変換されてなる各網点画像データが表す各網点画像の網点の網点面積率が、網点面積率選択部４によって、スライドバーｂ２の状態に応じて選択される。
【００８１】
また、位相（Δｉ，Δｊ）が位相選択部５によって、上記網点位相調整画面におけるスライドバーｂ１の状態に応じて選択される。この位相（Δｉ，Δｊ）は、上述した４つのデータ変換部それぞれによって変換されてなる各網点画像データが表す各網点画像のうちの、ＭＹＫ各版の画像の網点の固定された位相に対する、Ｃ版画像の網点の相対的な位相が上記ピクセル位置の座標で位相を表す。
【００８２】
上記多階調画像データ取得部１から出力された多階調画像データのうちのＣ版の多階調画像データ｛ＧC（ｉ，ｊ）｝は、Ｃデータ変換部１０によって取得され、さらにこのＣデータ変換部１０によって、上記形状・線数・角度選択部３によって選択された網点の形状・線数・角度、および位相選択部５によって選択された位相（Δｉ，Δｊ）が取得され、多階調画像データ取得部１から出力された多階調画像データ｛ＧC（ｉ，ｊ）｝が、元々一様画像生成部２によって生成された一様な濃度の多階調画像データである場合には、さらに、網点面積率選択部４によって選択された網点面積率が取得される。このように取得された多階調画像データ｛ＧC（ｉ，ｊ）｝は、後述するように、同じく取得された網点の形状・線数・角度および位相（Δｉ，Δｊ）に基づき、さらに、取得された多階調画像データ｛ＧC（ｉ，ｊ）｝が上記一様な濃度の多階調画像データである場合には取得された網点面積率に基づいて、Ｃデータ変換部１０によって網点画像データ｛ＤC（ｉ，ｊ）｝に変換される。この網点画像データ｛ＤC（ｉ，ｊ）｝は、ピクセル位置（ｉ，ｊ）において２値のピクセル値Ｄ（ｉ，ｊ）を有する個々の網点画像データのセットを表す網点画像データ｛Ｄ（ｉ，ｊ）｝のＣ版の網点画像データに相当する。
【００８３】
また、多階調画像データ取得部１から出力された多階調画像データ｛ＧM（ｉ，ｊ）｝、｛ＧY（ｉ，ｊ）｝、｛ＧK（ｉ，ｊ）｝は、それぞれＭデータ変換部２０、Ｙデータ変換部３０、Ｋデータ変換部４０によって取得され、さらにこれらのデータ変換部それぞれによって上記形状・線数・角度選択部３によって選択された網点の形状・線数・角度が取得され、多階調画像データ取得部１から出力された多階調画像データが、元々一様画像生成部２によって生成された一様な濃度の多階調画像データである場合には、さらに、網点面積率選択部４によって選択された網点面積率が取得される。但し、本実施形態では、Ｍ版画像、Ｙ版画像、およびＫ版画像に対しては位相の調整は行われないので、これらの３つのデータ変換部によって位相は取得されない。後に詳しく述べるように、このように取得された多階調画像データ｛ＧM（ｉ，ｊ）｝、｛ＧY（ｉ，ｊ）｝、｛ＧK（ｉ，ｊ）｝は、Ｍデータ変換部２０、Ｙデータ変換部３０、Ｋデータ変換部４０によって、同じく取得された網点の形状・線数・角度に基づき、さらに、取得したこれらの多階調画像データが上記一様な濃度の多階調画像データである場合には取得された網点面積率に基づいて、それぞれ網点画像データ｛ＤM（ｉ，ｊ）｝、｛ＤY（ｉ，ｊ）｝、｛ＤK（ｉ，ｊ）｝に変換される。これらの網点画像データ｛ＤM（ｉ，ｊ）｝、｛ＤY（ｉ，ｊ）｝、｛ＤK（ｉ，ｊ）｝は、網点画像データ｛ＤC（ｉ，ｊ）｝と同様に、Ｍ版の網点画像データ、Ｙ版の網点画像データ、Ｋ版の網点画像データを表す。
【００８４】
これらの網点画像データ｛ＤC（ｉ，ｊ）｝、｛ＤM（ｉ，ｊ）｝、｛ＤY（ｉ，ｊ）｝、｛ＤK（ｉ，ｊ）｝は、網点画像データ出力部７に入力され、さらにこの網点画像データ出力部７から出力されて、ＣＴＰ６００やプリンタ２００に送られる。
【００８５】
また、これらの網点画像データ｛ＤC（ｉ，ｊ）｝、｛ＤM（ｉ，ｊ）｝、｛ＤY（ｉ，ｊ）｝、｛ＤK（ｉ，ｊ）｝は、表示部６に入力され、表示部６には、これらの網点画像データに基づいて、上記網点調整画面に網点画像が表示される。
【００８６】
次に、上述したＣデータ変換部１０、Ｍデータ変換部２０、Ｙデータ変換部３０、Ｋデータ変換部４０の内部構成とともに、これらのデータ変換部における変換の様子について説明する。
【００８７】
図８は、図７に示す本実施形態の網点生成装置におけるＭデータ変換部の概略構成図である。
【００８８】
この図８には、Ｍデータ変換部２０の構成が示されるが、Ｙデータ変換部３０、Ｋデータ変換部４０も、このＭデータ変換部２０の構成と同じ構成を有する。また、これらのＭ、Ｙ、Ｋデータ変換部は、上述したように網点の位相に操作が施されないことからわかるように、従来の網点生成装置のデータ変換部と同じ構成となっている。
【００８９】
同図に示されるＭデータ変換部２０は、図６に示すＣＤ−ＲＯＭ１０５中の閾値テーブル群が記憶されたハードディスク１２０である閾値テーブル記憶部２２、およびこの閾値テーブル記憶部２２から閾値テーブルを選択するものであり、また網点面積率調整手段２１＿１を含む閾値テーブル選択部２１、並びにこの閾値テーブル選択部２１で選択された閾値テーブルを用いて多階調画像データ｛Ｇ（ｉ，ｊ）｝を網点画像データ｛Ｄ（ｉ，ｊ）｝に変換する、以下の、画像ピクセル位置取出部２３、閾値ピクセル位置設定部２４、閾値設定部２５、および比較部２６の各部からなる。上記閾値テーブル選択部２１およびこれらの各部は、図９のフローチャートに示すように動作する。
【００９０】
図９は、図８に示すＭデータ変換部における、多階調画像データから網点画像データへの変換のフローチャートである。
【００９１】
ステップＳ１０１では、図７に示す形状・線数・角度選択部３によって選択された形状、線数、角度が、閾値テーブル選択部２１によって取得される。また、上記表示部６の位相調整画面に上記ロゼッタ模様ｃ２が表示される場合には、同じく図７に示す網点面積率選択部４によって選択された網点面積率が、この閾値テーブル選択部２１中の網点面積率調整手段２１＿１によって取得される。次にステップＳ１０２へ進む。
【００９２】
ステップＳ１０２では、閾値テーブル選択部２１によって、そのように取得された形状、線数、角度に応じて、閾値テーブル記憶部２２から閾値テーブル｛Ｔ（ｉ’，ｊ’）｝が取り出される。また、網点面積率調整手段２１＿１によって網点面積率が取得された場合には、この網点面積率調整手段２１＿１によって、その閾値テーブル選択部２１によって取り出された閾値テーブルは、各閾値が調整され、上記網点面積率の画像を表す網点画像データを生成するような新たな閾値テーブル｛Ｔ（ｉ’，ｊ’）｝が生成される。なお、本発明の網点生成装置は、このように閾値テーブルの各閾値が調整されるのではなく、図７に示す一様画像生成部２にこの網点面積率のデータを渡して、この一様画像生成部２によって生成される一様画像の濃度レベルが調整されることによってこの網点面積率の画像が得られるようにするなど、一様画像の濃度レベルを調整するものであってもよい。
【００９３】
一方、ステップＳ１０１〜ステップＳ１０２と並列して、ステップＳ１１１〜ステップＳ１１５が進められる。
【００９４】
ステップＳ１１１では、画像ピクセル位置取出部２３によって、図７に示す多階調画像データ取得部１から出力された多階調画像データ｛Ｇ（ｉ，ｊ）｝が取得される。次にステップＳ１１２へ進む。
【００９５】
ステップＳ１１２では、画像ピクセル位置取出部２３によって、取得された多階調画像データ｛Ｇ（ｉ，ｊ）｝から、ピクセル位置のデータ｛（ｉ，ｊ）｝が取り出される。データ｛（ｉ，ｊ）｝は、各ピクセル位置（ｉ，ｊ）のデータの集合を表し、これらの各ピクセル位置（ｉ，ｊ）と上記多階調画像データ｛Ｇ（ｉ，ｊ）｝の各ピクセル値Ｇ（ｉ，ｊ）との対応付けの情報も含むものである。次に、ステップＳ１１３へ進む。
【００９６】
ステップＳ１１３では、画像ピクセル位置取出部２３によって、ピクセル位置のデータ｛（ｉ，ｊ）｝が閾値ピクセル位置設定部２４に出力され、多階調画像データ｛Ｇ（ｉ，ｊ）｝が比較部２６に出力される。次にステップＳ１１４、ステップＳ１１５、およびステップＳ１２１へ進む。
【００９７】
ステップＳ１１４、ステップＳ１１５、およびステップＳ１２１における、閾値のピクセル位置の設定、および閾値の設定を、図１０とともに説明する。
【００９８】
図１０は、ピクセル平面における多階調画像データと閾値テーブルとの対応を示す図である。
【００９９】
同図には、ピクセルが２次元的に配列されたピクセル平面が示される。各ピクセルの位置するピクセル位置は、この空間に敷き詰められた、実線で囲まれる長方形（正方形）のうち代表的に１つの長方形内にのみ、２本の点線の交点によって示される。上記各ピクセル値Ｇ（ｉ，ｊ）は、これらの各ピクセル位置（ｉ，ｊ）において規定される。
【０１００】
このように敷き詰められた、実線で囲まれる長方形それぞれは、上述した１つの閾値テーブル｛Ｔ（ｉ’，ｊ’）｝とそれぞれ対応づけられる領域を表し、横ｎxピクセル、縦ｎyピクセルの大きさを有する。この長方形内の相対的な各ピクセル位置（ｉ’，ｊ’）に上記閾値テーブル｛Ｔ（ｉ’，ｊ’）｝の各閾値Ｔ（ｉ’，ｊ’）が対応づけられる。この長方形の領域が周期的に並んでいることから、上記相対的なピクセル位置（ｉ’，ｊ’）は、（ｉ ｍｏｄ ｎx，ｊｍｏｄ ｎy）と表されるので、上記ピクセル値Ｇ（ｉ，ｊ）に対応するピクセル位置（ｉ，ｊ）に対応づけられる閾値は閾値Ｔ（ｉ ｍｏｄ ｎx，ｊｍｏｄ ｎy）となり、閾値テーブルは｛Ｔ（ｉ ｍｏｄ ｎx，ｊｍｏｄ ｎy）｝と表される。
【０１０１】
なお、同図に示す閾値テーブルと対応づけられる領域の大きさは、２つのドットセル分の大きさに相当し、同図に示す、その領域を表す長方形の中心部および４頂点の白丸は、この領域に現れる網点の一例を表す。ここに示す網点の角度は４５°である。
【０１０２】
ステップＳ１１４では、閾値ピクセル位置設定部２４によって、上記閾値テーブル選択部２１によって選択された閾値テーブルに対応づけられる領域を規定するｎx，ｎyが取得される。次にステップＳ１１５へ進む。
【０１０３】
ステップＳ１１５では、同じく閾値ピクセル位置設定部２４によって、このように取得されたｎx，ｎyに基づき、上述したように、一般のピクセル位置（ｉ，ｊ）に対応する、すなわちピクセル値Ｇ（ｉ，ｊ）に対応する、上記の相対的なピクセル位置（ｉ’，ｊ’）、すなわちピクセル位置（ｉ ｍｏｄ ｎx，ｊｍｏｄ ｎy）のデータ｛（ｉ ｍｏｄ ｎx，ｊｍｏｄ ｎy）｝が設定される。次に、ステップＳ１２１へ進む。
【０１０４】
ステップＳ１２１では、まず、このように得られた、ピクセル値Ｇ（ｉ，ｊ）に対応する相対的なピクセル位置（ｉ ｍｏｄ ｎx，ｊ ｍｏｄ ｎy）のデータ｛（ｉ ｍｏｄ ｎx，ｊ ｍｏｄ ｎy）｝と、上記ステップＳ１０２で閾値テーブル選択部２１によって選択されあるいは生成された閾値テーブル｛Ｔ（ｉ’，ｊ’）｝とが、閾値設定部２５に入力される。そして、閾値設定部２５によって、このように入力されたデータ中の、ピクセル値Ｇ（ｉ，ｊ）に対応するそれぞれの相対的なピクセル位置（ｉ ｍｏｄ ｎx，ｊ ｍｏｄ ｎy）における閾値Ｔ（ｉ ｍｏｄ ｎx，ｊ ｍｏｄ ｎy）が決定され、ピクセル値Ｇ（ｉ，ｊ）に対応する閾値を表す閾値テーブル｛Ｔ（ｉ ｍｏｄ ｎx，ｊ ｍｏｄ ｎy）｝が出力される。次にステップＳ１３１〜ステップＳ１３２へ進む。
【０１０５】
ステップＳ１３１〜ステップＳ１３２では、まず、このピクセル値Ｇ（ｉ，ｊ）に対応する閾値を表す閾値テーブル｛Ｔ（ｉ ｍｏｄ ｎx，ｊ ｍｏｄ ｎy）｝と、上記ステップＳ１１３で上記画像ピクセル位置取出部２３によって出力された多階調画像データ｛Ｇ（ｉ，ｊ）｝とが比較部２６に入力される。そして、この比較部２６によって、多階調のピクセル値Ｇ（ｉ，ｊ）と、閾値テーブルの値Ｔ（ｉ ｍｏｄ ｎx，ｊ ｍｏｄ ｎy）とが比較され、各ピクセル位置（ｉ，ｊ）において、ピクセル値Ｇが閾値Ｔ以上である場合には、そのピクセル位置（ｉ，ｊ）での新たなピクセル値Ｄ（ｉ，ｊ）に最高のピクセル値が与えられ、ピクセル値Ｇが閾値Ｔ以下である場合には、そのピクセル値Ｄ（ｉ，ｊ）に最低のピクセル値が与えられ、それらの各ピクセル値Ｄ（ｉ，ｊ）で構成される網点画像データ｛Ｄ（ｉ，ｊ）｝が生成される。このように生成された網点画像データ｛Ｄ（ｉ，ｊ）｝は、図７に示す網点画像データ出力部７や表示部６に出力される。
【０１０６】
図１１は、図７に示す本実施形態の網点生成装置におけるＣデータ変換部の一形態である第１のＣデータ変換部の概略構成図である。
【０１０７】
本実施形態では、この第１のＣデータ変換部１０＿１、および後述する第２のＣデータ変換部が、上述した網点の位相のずれを発生させる部分となっている。
【０１０８】
同図に示される第１のＣデータ変換部１０＿１は、図８に示すＭデータ変換部２０と同様に、閾値テーブル記憶部１２、網点面積率調整手段１１＿１を含む閾値テーブル選択部１１、画像ピクセル位置取出部１３、閾値ピクセル位置設定部１４＿１、閾値設定部１５、および比較部１６からなる。これらの各部および手段のうち、閾値テーブル選択部１１、網点面積率調整手段１１＿１、および画像ピクセル位置取出部１３は、上記Ｍデータ変換部２０における、同名の、閾値テーブル選択部２１、網点面積率調整手段２１＿１、および画像ピクセル位置取出部２３とそれぞれ全く同じ動作を行う。また、上記の、閾値設定部１５および比較部１６も、取り扱うデータの内容が異なるだけで、上記Ｍデータ変換部２０における、同名の、閾値設定部２５および比較部２６と同じ動作を行う。但し、上記画像ピクセル位置設定部１４は、上記Ｍデータ変換部の画像ピクセル位置設定部２４とは異なり、網点の位相のずれを発生させるものである。本実施形態のこの第１のＣデータ変換部１０＿１では、この画像ピクセル位置設定部１４＿１が、本発明にいう位相調整部に相当する。また、上記比較部１６が、本発明にいうデータ生成部に相当する。
【０１０９】
この第１のＣデータ変換部１０＿１は、図１２のフローチャートに示すように動作する。
【０１１０】
図１２は、図１１に示す第１のＣデータ変換部における、多階調画像データから網点画像データへの変換のフローチャートである。
【０１１１】
ステップＳ２０１〜ステップＳ２０２、およびステップＳ２１１〜ステップＳ２１４は、各ステップが、それぞれ図９に示すフローチャートのステップＳ１０１〜ステップＳ１０２、およびステップＳ１１１〜ステップＳ１１４と同様に進められる。ステップＳ２１４に続いて、ステップＳ２１５へ進む。
【０１１２】
ステップＳ２１５では、閾値ピクセル位置設定部１４＿１によって、図７に示す位相選択部５によって選択された位相（Δｉ，Δｊ）が入力される。
【０１１３】
図１３は、網点の位相を示す図である。
【０１１４】
図１３（Ａ）、図１３（Ｂ）いずれの図においても、長方形（正方形）は、図１０にも示す、１つの閾値テーブルに対応づけられた１つの領域を表し、斜線の入った丸は網点を表す。図１３（Ａ）には、位相のずれのない場合の網点の一例が示され、同図では、網点は、この長方形の中央および４つの頂点部分に位置する。図１３（Ｂ）には、位相が、位相（Δｉ，Δｊ）だけ、ずれた場合の網点が示される。同図では、網点は、図１３（Ａ）に示す位置から右上方向にずれた位置にある。
【０１１５】
このような網点の位相のずれは、次のステップＳ２１６で示すようにピクセル位置のデータに導入される。ステップＳ２１６へ進む。
【０１１６】
ステップＳ２１６では、まず、閾値ピクセル位置設定部１４＿１によって、上記のように取得された位相（Δｉ，Δｊ）に基づいて、上記ピクセル値Ｇ（ｉ，ｊ）に対応するピクセル位置が、ピクセル位置（ｉ−Δｉ，ｊ−Δｊ）に変更される。そして、図９に示すフローチャートのステップＳ１１６と同様に、閾値ピクセル位置設定部１４によって、取得されたｎx，ｎyに基づき、上記ピクセル値Ｇ（ｉ，ｊ）に対応する、すなわちピクセル位置（ｉ−Δｉ，ｊ−Δｊ）に対応する、閾値テーブルに対応づけられた長方形の領域内での相対的なピクセル位置（ｉ’，ｊ’）＝（（ｉ−Δｉ）ｍｏｄ ｎx，（ｊ−Δｊ）ｍｏｄ ｎy）のデータ｛（（ｉ−Δｉ）ｍｏｄ ｎx，（ｊ−Δｊ）ｍｏｄ ｎy）｝が設定される。
【０１１７】
このようにピクセル値Ｇ（ｉ，ｊ）に対応するピクセル位置（ｉ，ｊ）が、閾値テーブルに対応づけられた領域内で変更されたことは、多階調画像データ｛Ｇ（ｉ，ｊ）｝の、閾値テーブル｛Ｔ（ｉ’，ｊ’）｝に対する位相が調整されたことを意味する。次に、ステップＳ２２１へ進む。
【０１１８】
ステップＳ２２１では、上記図９に示すステップＳ１２１と比べて、入出力されるデータが異なるだけでデータの処理としては同じことが行われる。すなわち、上述したように得られた、ピクセル値Ｇ（ｉ，ｊ）に対応する相対的なピクセル位置（（ｉ−Δｉ） ｍｏｄ ｎx，（ｊ−Δｊ）ｍｏｄ ｎy）のデータ｛（（ｉ−Δｉ） ｍｏｄ ｎx，（ｊ−Δｊ） ｍｏｄ ｎy）｝と、上記ステップＳ２０２で閾値テーブル選択部１１によって選択されあるいは生成された閾値テーブル｛Ｔ（ｉ’，ｊ’）｝とが、閾値設定部１５に入力される。そして、閾値設定部１５によって、このように入力されたデータ中の、ピクセル値Ｇ（ｉ，ｊ）に対応するそれぞれの相対的なピクセル位置（（ｉ−Δｉ） ｍｏｄ ｎx，（ｊ−Δｊ）ｍｏｄ ｎy）における閾値テーブルの閾値Ｔ（（ｉ−Δｉ） ｍｏｄ ｎx，（ｊ−Δｊ）ｍｏｄ ｎy）が決定され、ピクセル値Ｇ（ｉ，ｊ）に対応する閾値を表す閾値テーブル｛Ｔ（（ｉ−Δｉ） ｍｏｄ ｎx，（ｊ−Δｊ）ｍｏｄ ｎy）｝が出力される。次にステップＳ２３１〜ステップＳ２３２へ進む。
【０１１９】
ステップＳ２３１〜ステップＳ２３２では、図９に示すステップＳ１３１〜ステップＳ１３２と比べて、入力される閾値テーブルが異なり、結果として出力される網点画像データ｛Ｄ（ｉ，ｊ）｝が異なるが、データの処理としては同じことが行われる。すなわち、まず、ピクセル値Ｇ（ｉ，ｊ）に対応する閾値を表す閾値テーブル｛Ｔ（（ｉ−Δｉ） ｍｏｄ ｎx，（ｊ−Δｊ）ｍｏｄ ｎy）｝と、上記ステップＳ２１３で上記画像ピクセル位置取出部１３によって出力された多階調画像データ｛Ｇ（ｉ，ｊ）｝とが比較部１６に入力される。そして、この比較部１６によって、各ピクセル位置（ｉ，ｊ）における、ピクセル値Ｇ（ｉ，ｊ）と、閾値テーブルの値Ｔ（（ｉ−Δｉ） ｍｏｄ ｎx，（ｊ−Δｊ）ｍｏｄ ｎy）とが比較され、各ピクセル位置（ｉ，ｊ）において、ピクセル値Ｇが閾値Ｔ以上である場合には、そのピクセル位置（ｉ，ｊ）での新たなピクセル値Ｄ（ｉ，ｊ）として最高のピクセル値が与えられ、ピクセル値Ｇが閾値Ｔ以下である場合には、新たなピクセル値Ｄ（ｉ，ｊ）として最低のピクセル値が与えられることによって、網点画像データ｛Ｄ（ｉ，ｊ）｝が生成される。
【０１２０】
ここで、ピクセル値Ｇ（ｉ，ｊ）と比較する、閾値テーブルの値Ｔ（（ｉ−Δｉ） ｍｏｄ ｎx，（ｊ−Δｊ）ｍｏｄ ｎy）には、位相（Δｉ，Δｊ）のずれが含まれているため、この値Ｄ（ｉ，ｊ）が最高のピクセル値が与えられる位置（ｉ、ｊ）、すなわち通常Ｃ版の網点画像のうちの網点となるピクセル位置は、全体として、上記Ｍ、Ｙ、Ｋデータ変換部によって生成されたＭ版、Ｙ版、Ｋ版の網点画像データが表す網点のピクセル位置とは、位相（Δｉ，Δｊ）だけ、ずれた位置となる。
【０１２１】
このように生成された網点画像データ｛Ｄ（ｉ，ｊ）｝は、図７に示す網点画像データ出力部７や表示部６に出力される。
【０１２２】
図１４は、図７に示す本実施形態の網点生成装置におけるＣデータ変換部の一形態である第２のＣデータ変換部の概略構成図である。
【０１２３】
同図に示される第２のＣデータ変換部１０＿２は、図１１に示す第１のＣデータ変換部１０＿１を構成する、閾値テーブル記憶部１２、網点面積率調整手段１１＿１を含む閾値テーブル選択部１１、画像ピクセル位置取出部１３、閾値ピクセル位置設定部１４＿２、閾値設定部１５、および比較部１６と、この第２のＣデータ変換部１０＿２に特有の閾値テーブル変換部１７とからなる。
【０１２４】
これらの各部および手段のうち、閾値テーブル選択部１１、網点面積率調整手段１１＿１、画像ピクセル位置取出部１３、および閾値ピクセル位置設定部１４＿２は、上記Ｍデータ変換部２０における、同名の閾値テーブル選択部１１、網点面積率調整手段１１＿１、画像ピクセル位置取出部１３、および閾値ピクセル位置設定部２４と全く同じ動作を行う。また、上記の、閾値設定部１５および比較部１６も、取り扱うデータの内容が異なるだけで、上記Ｍデータ変換部２０における、同名の閾値設定部２５および比較部２６と同じ動作を行う。
【０１２５】
この第２のＣデータ変換部１０＿２においては、上記閾値テーブル変換部１７が、網点の位相のずれを発生させるものであり、この閾値テーブル変換部１７が、本発明にいう位相調整部に相当する。また、本実施形態のこの第２のＣデータ変換部１０＿２では、上記比較部１６が本発明にいうデータ生成部に相当する。
【０１２６】
この第２のＣデータ変換部１０＿２は、図１５のフローチャートに示すように動作する。
【０１２７】
図１５は、図１４に示す第２のＣデータ変換部における、多階調画像データから網点画像データへの変換のフローチャートである。
【０１２８】
ステップＳ３０１〜ステップＳ３０２、およびステップＳ３１１〜ステップＳ３１５は、各ステップが、それぞれ図９に示すフローチャートのステップＳ１０１〜ステップＳ１０２、およびステップＳ１１１〜ステップＳ１１５と同様に進められる。ステップＳ３０２に続いてステップＳ３０３へ進み、ステップＳ３１５に続いて、ステップＳ３２１へ進む。
【０１２９】
ステップＳ３０３では、まず、閾値テーブル変換部１７に、閾値テーブル選択部１１に選択されたテーブル、あるいはそのように選択された閾値テーブルに基づいて網点面積率調整手段１１＿１によって新たに生成された閾値テーブル｛Ｔ（ｉ’，ｊ’）｝が入力され、さらに、図７に示す位相選択手段５によって選択された位相（Δｉ，Δｊ）が入力される。そして、この閾値テーブル変換部１７によって、閾値テーブルのピクセル位置（ｉ’，ｊ’）に対応する閾値テーブルの閾値が、閾値Ｔ（ｉ’，ｊ’）から、入力された位相（Δｉ，Δｊ）だけずれたピクセル位置における閾値Ｔ（（ｉ’−Δｉ）ｍｏｄ ｎx，（ｊ’−Δｊ）ｍｏｄ ｎy）へ変更される。このような変更に伴い、閾値テーブル変換部１７によって、上述したように入力された閾値テーブル｛Ｔ（ｉ’，ｊ’）｝が、新たな閾値テーブル｛Ｔ（（ｉ’−Δｉ）ｍｏｄ ｎx，（ｊ’−Δｊ）ｍｏｄ ｎy）｝に変換される。
【０１３０】
このような閾値テーブルの、位相（Δｉ，Δｊ）に応じた変更は、画像データ閾値テーブル｛Ｔ（ｉ’，ｊ’）｝の、多階調画像データ｛Ｇ（ｉ，ｊ）｝に対する位相の調整を意味する。次に、ステップＳ３２１へ進む。
【０１３１】
ステップＳ３２１では、上記図９に示すステップＳ１２１と比べて、入出力されるデータが異なるだけでデータの処理としては同じことが行われる。すなわち、上記閾値ピクセル位置設定部１４＿２によって設定された、ピクセル値Ｇ（ｉ，ｊ）に対応する、図１０で示されるように閾値テーブルに対応づけられる領域における相対的なピクセル位置（ｉ ｍｏｄ ｎx，ｊ ｍｏｄ ｎy）のピクセル位置データ｛（ｉ ｍｏｄ ｎx，ｊ ｍｏｄ ｎy）｝と、上記ステップＳ３０３で閾値テーブル変換部１７によって変換された閾値テーブル｛Ｔ（（ｉ’−Δｉ）ｍｏｄ ｎx，（ｊ’−Δｊ）ｍｏｄ ｎy）｝とが、閾値設定部１５に入力される。そして、閾値設定部１５によって、ピクセル値Ｇ（ｉ，ｊ）に対応する相対的なピクセル位置（ｉ ｍｏｄ ｎx，ｊ ｍｏｄ ｎy）における閾値テーブルの閾値Ｔ（（ｉ−Δｉ） ｍｏｄ ｎx，（ｊ−Δｊ）ｍｏｄ ｎy）が決定され、ピクセル値Ｇ（ｉ，ｊ）に対応する閾値を表す閾値テーブル｛Ｔ（（ｉ−Δｉ） ｍｏｄ ｎx，（ｊ−Δｊ）ｍｏｄ ｎy）｝が出力される。次にステップＳ３３１〜ステップＳ３３２へ進む。
【０１３２】
ステップＳ３３１〜ステップＳ３３２では、図１２に示すステップＳ２３１〜ステップＳ２３２と同様にして、ピクセル値Ｇ（ｉ，ｊ）に対応する閾値を表す閾値テーブル｛Ｔ（（ｉ−Δｉ） ｍｏｄ ｎx，（ｊ−Δｊ）ｍｏｄ ｎy）｝と、上記ステップＳ３１３で上記画像ピクセル位置取出部１３によって出力された多階調画像データ｛Ｇ（ｉ，ｊ）｝とが比較部１６に入力され、比較部１６によって、各ピクセル位置（ｉ，ｊ）における、ピクセル値Ｇ（ｉ，ｊ）と、閾値テーブルの値Ｔ（（ｉ−Δｉ） ｍｏｄ ｎx，（ｊ−Δｊ）ｍｏｄ ｎy）とが比較され、網点画像データ｛Ｄ（ｉ，ｊ）｝が生成される。
【０１３３】
このように生成された網点画像データ｛Ｄ（ｉ，ｊ）｝は、図７に示す網点画像データ出力部７や表示部６に出力される。
【０１３４】
ここで、この網点画像データ｛Ｄ（ｉ，ｊ）｝によって表されるＣ版の網点画像のうちの網点となるピクセル位置は、全体として、上記Ｍ、Ｙ、Ｋデータ変換部によって生成された網点画像データが表すＭ版、Ｙ版、Ｋ版の網点画像の網点とは、位相（Δｉ，Δｊ）だけ、ずれた位置となる。
【０１３５】
以上で各色版どうしの位相調整、ここでは、ＭＹＫ各色版の網点画像に対するＣ版の網点画像の位相調整を行うための、網点生成装置１００の構成、および動作の説明を終えて、次に、このような位相調整によって実現されるロゼッタ模様の様子について説明する。
【０１３６】
図１６は、Ｃ版の網点画像における網点の、クリアセンタのロゼッタ模様を実現する位相からドットセンタのロゼッタ模様を実現する位相までの位相変化の経路を示す図である。
【０１３７】
同図に示すグラフは、２次元的に広がるピクセル位置で規定される空間のグラフである。点Ｘ、点Ｏを挟んで点Ｘと対称の位置にある点Ｘ’’、点Ｏから点Ｘの方向とは垂直方向にありかつ点Ｏから点Ｘまでの距離と同じ距離にある点Ｘ’および点Ｘ’’’における斜線の入った丸それぞれは、Ｃ版の網点を表す。ここでは、Ｃ版以外のＭ版、Ｙ版、Ｋ版の網点は図示されていないが、点Ｏは、Ｃ版の各網点の狭間にありＭＹＫ各版においても各網点の狭間にある、クリアセンタにの中心部分ａ１を示すものとする。同図には、点Ｏ、点Ｐ、点Ｑ、点Ｒを頂点とした正方形が示されており、この正方形の、ＯＰ方向が横軸から角度θの方向を向いている。この正方形は、対角線の交点部分に上記点Ｘを有するものであり、この正方形は、また点Ｘの網点のドットセルに相当する。
【０１３８】
ここで、上記正方形の４辺ＯＰ、ＰＱ、ＱＲ、ＲＯの長さをＬとすると、点Ｏが座標（０，０）で表されるとして、上記点Ｘは、座標
（ｃｏｓ（θ＋４５°）×Ｌ／√２，ｓｉｎ（θ＋４５°）×Ｌ／√２）
で表される。また、この点Ｘと同様に網点の位置を表す点として、点Ｘ、点Ｘ’、および点Ｘ’’、並びに、点Ｘ、点Ｘ’，点Ｘ’’，点Ｘ’’’の方向に距離ＯＸの奇数倍の移動を行った点があげられる。
【０１３９】
このＣ版の網点画像における網点の位相を、点Ｏを点Ｘや、点Ｘ’、点Ｘ’’、点Ｘ’’’などへ平行移動させるように、変化させることにより、これらのＣＭＹＫ各色版が重ね合わされたカラー網点画像の、クリアセンタからドットセンタまでのロゼッタ模様が段階的に作成される。この点Ｏから点Ｘの平行移動の経路としては、例えば、点Ｏが、点Ｏと点Ｘの中点である点Ｂを通り、最短距離で点Ｘに移るような経路Ｐ１や、点Ｏが、一旦点Ｏと点Ｐの中点である点Ａまで直線的に移動し、この点Ａから点Ｘまで直線的に移動する経路Ｐ２などがある。これらの経路における、点Ｏが移動しない場合のクリアセンタのロゼッタ模様は、図２５に示され、点Ｏが点Ｘ間で移動した場合のドットセンタのロゼッタ模様は、図２６に示される。
【０１４０】
図１７は、図１６に示す経路Ｐ１でＣ版の網点画像における網点の位相を変化させた場合のロゼッタ模様を示す図である。
【０１４１】
図１７（Ａ）、図１７（Ｂ）、図１７（Ｃ）、図１７（Ｄ）、図１７（Ｅ）には、それぞれ、Ｃ版の網点画像の網点を、点Ｏを点Ｘの方向へ１／１０ＯＸ、３／１０ＯＸ、５／１０ＯＸ、７／１０ＯＸ、９／１０ＯＸの距離だけ平行移動させるように、位相変化させた場合の、互いに３０°ずつ離れた３版各版の２０％の網を墨Ｋで表したときのロゼッタ模様を示す。なお、ここでは、上記角度θが４５°である場合が扱われる。この場合には、点Ｘは座標（０，Ｌ／√２）で表され、位相調整が容易となる。ここで、ＯＸだけ平行移動するとは、点Ｏから点Ｘ方向への、点Ｏから点Ｘまでの距離だけ移動することを表し、点Ｏを５／１０ＯＸだけ平行移動させた点は、点Ｂ（０，Ｌ／（２√２））に相当する。これらの図において、点Ｏの平行移動の距離が増加するにつれ、クリアセンタのロゼッタ模様がくずれてドットセンタのロゼッタ模様に近いロゼッタ模様が現れる。これらの図のうち、図１７（Ｂ）、図１７（Ｃ）に示すロゼッタ模様には、ロゼッタモアレ特有の円環状の模様が見られず、このような円環状の模様が見られないロゼッタ模様が、上述したＣＴＰ６００に送られる網点画像データが表す網点画像のロゼッタ模様として好ましい。
【０１４２】
図１８は、図１６に示す経路Ｐ２でＣ版の網点画像における網点の位相を変化させた場合のロゼッタ模様を示す図である。
【０１４３】
図１８（Ａ）、図１８（Ｂ）、図１８（Ｃ）には、それぞれ、Ｃ版の網点画像の網点を、点Ｏを、３／５ＯＡ、ＯＡ、ＯＡ＋３／５ＡＸだけ平行移動させるように、位相変化させた場合の、３０°ずつ離れた３版各版の各版の２０％の網を墨Ｋで表したときのロゼッタ模様を示す。なお、ここでも、図１７に示す場合と同様に、上記角度θを４５°とした場合が扱われる。この場合には、点Ｘは座標（０，Ｌ／√２）で表され、点Ａが座標（Ｌ／（２√２），Ｌ／（２√２））で表され、位相調整が容易となる。ここで、ＯＡだけ平行移動するとは、点Ｏから点Ａ方向への、点Ｏから点Ａまでの距離の移動を表し、ＯＡ＋３／５ＡＸだけ平行移動するとは、点Ｏを、点Ａから点Ｘ方向に点Ａから点Ｘまでの距離の３／５だけ平行移動した点へ平行移動するような平行移動を行うことを意味する。これらの図においても、点Ｏが平行移動により点Ｘに近づくにつれ、クリアセンタのロゼッタ模様がくずれドットセンタのロゼッタ模様に近いロゼッタ模様が現れる。これらの図のうち、図１８（Ａ）、図１８（Ｂ）に示すロゼッタ模様には、ロゼッタモアレ特有の円環状の模様が見られず、このような円環状の模様が見られないロゼッタ模様が、上述したＣＴＰ６００に送られる網点画像データのロゼッタ模様として好ましい。
【０１４４】
また、図１７、図１８に示されるように、網点画像の網点のロゼッタ模様は、位相を変化させる経路の種類、および各経路上の位置によって様々な模様となる。上述したプルーファ中の網点生成装置１００によって、プルーフの対象となる印刷システムから印刷される網点画像の、各色版の画像の見当ずれの程度に応じて現れるロゼッタ模様が少なくとも近似的に再現されるには、このように、所定の各経路上の位置や、場合によっては経路の種類を変えることによって位相が調整されればよい。
【０１４５】
最後に、上記位相調整画面の様々な態様について述べておく。
【０１４６】
図１９は、ロゼッタ模様を表示する第２の位相調整画面を示す図である。
【０１４７】
同図に示す第２の位相調整画面は、図３に示す第１の位相調整画面におけるスライドバーｂ１が、クリアセンタＣ．Ｃ．からドットセンタＤ．Ｃ．に亘るロゼッタ模様を指定する複数のボタンｂ３に代えられたものである。
【０１４８】
図２０は、ロゼッタ模様を表示する第３の位相調整画面を示す図である。
【０１４９】
同図に示す第３の位相調整画面は、図３に示す第１の位相調整画面における、網点面積率調整用のスライドバーｂ２の操作に応じて網点面積率の変わるロゼッタ模様表示画面ｃ２が、様々な網点面積率のそれぞれのロゼッタ模様を同時に表す複数のパッチｃ３に代えられたものである。ユーザは、この複数のパッチｃ３により一目で様々な網点面積率のロゼッタ模様を確認できる。
【０１５０】
図２１は、ロゼッタ模様を表示する第４の位相調整画面を示す図である。
【０１５１】
同図に示す第４の位相調整画面は、図３に示す第１の位相調整画面における、上記ロゼッタ模様表示画面ｃ２が、様々な網点面積率のロゼッタ模様を表すグラデーションｃ４に代えられたものである。ユーザは、この複数のパッチｃ３によっても一目で様々な網点面積率のロゼッタ模様を確認できる。
【０１５２】
図２２は、ロゼッタ模様を表示する第５の位相調整画面を示す図である。
【０１５３】
同図に示す第５の位相調整画面は、図３に示す第１の位相調整画面における網点面積率調整用のスライドバーｂ２が、例えば１５°、４５°、７５°それぞれの角度のロゼッタ模様の網点面積率をそれぞれ０％〜１００％まで調整する３つのスライドバーｂ４に代えられたものである。この３つのスライドバーｂ４によってロゼッタ模様を構成する各網点画像の網点面積率が高い自由度で調整される。
【０１５４】
図２３は、ロゼッタ模様を表示する第６の位相調整画面を示す図である。
【０１５５】
同図に示す第６の位相調整画面は、図２２に示す第５の位相調整画面における網点面積率調整用のスライドバーｂ４が、例えば、１５°、４５°、７５°それぞれの角度に応じてＣＭＫ各色の色を任意に割り当てられ、これらの各色の網点が重ね合わせられたカラーのロゼッタ模様がロゼッタ模様表示画面ｃ２に表示されるものである。
【０１５６】
図２４は、ロゼッタ模様を表示する第７の位相調整画面を示す図である。
【０１５７】
同図に示す第７の位相調整画面は、図２２に示す第６の位相調整画面における網点面積率調整用のスライドバーｂ４が、例えば、０°、１５°、４５°、７５°それぞれの角度に応じてＹＣＭＫ各色の色を任意に割り当てられ、これらの各色の網点が重ね合わせられたカラーのロゼッタ模様がロゼッタ模様表示画面ｃ２に表示されるものである。
【０１５８】
【発明の効果】
以上説明したように、本発明によれば、少なくとも１つの色版において網点の位相の設定が自在な網点生成装置、およびコンピュータシステムで起動することによりそのコンピュータシステムを網点生成装置として動作させるプログラムを記憶した網点生成プログラム記憶媒体が提供される。
【図面の簡単な説明】
【図１】本発明の網点生成装置の一実施形態とＣＴＰとが組み合わせられた状態を示す図である。
【図２】本実施形態の網点生成装置の位相調整画面を示す図である。
【図３】本実施形態の網点生成装置の、ロゼッタ模様を表示する第１の位相調整画面を示す図である。
【図４】本発明の網点生成装置の一実施形態が適用されたプルーファと、印刷システムとを示す図である。
【図５】コンピュータシステムのハードウェア構成図である。
【図６】本発明の網点生成プログラム記憶媒体の一実施形態を示す図である。
【図７】図１、図４に示す本実施形態の網点生成装置の概略構成図である。
【図８】図７に示す本実施形態の網点生成装置におけるＭデータ変換部の概略構成図である。
【図９】図８に示すＭデータ変換部における、多階調画像データから網点画像データへの変換のフローチャートである。
【図１０】ピクセル平面における多階調画像データと閾値テーブルとの対応を示す図である。
【図１１】図７に示す本実施形態の網点生成装置におけるＣデータ変換部の一形態である第１のＣデータ変換部の概略構成図である。
【図１２】図１１に示す第１のＣデータ変換部における、多階調画像データから網点画像データへの変換のフローチャートである。
【図１３】網点の位相を示す図である。
【図１４】図７に示す本実施形態の網点生成装置におけるＣデータ変換部の一形態である第２のＣデータ変換部の概略構成図である。
【図１５】図１４に示す第２のＣデータ変換部における、多階調画像データから網点画像データへの変換のフローチャートである。
【図１６】Ｃ版の網点画像における網点の、クリアセンタのロゼッタ模様を実現する位相からドットセンタのロゼッタ模様を実現する位相までの位相変化の経路を示す図である。
【図１７】図１６に示す経路Ｐ１でＣ版の網点画像における網点の位相を変化させた場合のロゼッタ模様を示す図である。
【図１８】図１６に示す経路Ｐ２でＣ版の網点画像における網点の位相を変化させた場合のロゼッタ模様を示す図である。
【図１９】ロゼッタ模様を表示する第２の位相調整画面を示す図である。
【図２０】ロゼッタ模様を表示する第３の位相調整画面を示す図である。
【図２１】ロゼッタ模様を表示する第４の位相調整画面を示す図である。
【図２２】ロゼッタ模様を表示する第５の位相調整画面を示す図である。
【図２３】ロゼッタ模様を表示する第６の位相調整画面を示す図である。
【図２４】ロゼッタ模様を表示する第７の位相調整画面を示す図である。
【図２５】クリアセンタのロゼッタ模様を示す図である。
【図２６】ドットセンタのロゼッタ模様を示す図である。
【符号の説明】
１  多階調画像データ取得部
２  一様画像生成部
３  形状・線数・角度選択部
４  網点面積率選択部
５  位相選択部
６  表示部
７  網点画像データ出力部
１０  Ｃデータ変換部
１０＿１  第１のＣデータ変換部
１０＿２  第２のＣデータ変換部
１１，２１  閾値テーブル選択部
１１＿１，２１＿１  網点面積率調整手段
１２，２２  閾値テーブル記憶部
１３，２３  画像ピクセル位置取出部
１４＿１，１４＿２，２４  閾値ピクセル位置設定部
１５，２５  閾値設定部
１６，２６  比較部
１７  閾値テーブル変換部
２０  Ｍデータ変換部
３０  Ｙデータ変換部
４０  Ｋデータ変換部
５０  網点生成プログラム
５１  多階調画像データ取得手段
５２  一様画像生成手段
５３  形状・線数・角度選択手段
５４  網点面積率選択手段
５５  位相選択手段
５６  閾値テーブル群
５７  網点画像データ出力手段
６０  Ｃデータ変換手段
６１  閾値テーブル選択手段
６１＿１  網点面積率調整手段
６３  画像ピクセル位置取出手段
６４  閾値ピクセル位置設定手段
６５  閾値設定手段
６６  比較手段
６７  閾値テーブル変換手段
７０  Ｍデータ変換手段
８０  Ｙデータ変換手段
９０  Ｋデータ変換手段
１００  網点生成装置、コンピュータシステム
１０１  本体部
１０２  ＣＲＴディスプレイ
１０２ａ  表示画面
１０３  キーボード
１０４  マウス
１０５  ＣＤ−ＲＯＭ
１０６  ＭＯ
１１０  バス
１１１  ＣＰＵ
１１２  ＲＡＭ
１１３  ＨＤＤ
１１４  ＭＯドライブ
１１５  ＣＤ−ＲＯＭドライブ
１１６  通信用ボード
１２０  ハードディスク
２００  プリンタ
３００  通信網
４００  コンピュータシステム
５００  フィルムセッター
６００  ＣＴＰ
【図１】
0004056693.tif 000002
【図２】
0004056693.tif 000003
【図３】
0004056693.tif 000004
【図４】
0004056693.tif 000005
【図５】
0004056693.tif 000006
【図６】
0004056693.tif 000007
【図７】
0004056693.tif 000008
【図８】
0004056693.tif 000009
【図９】
0004056693.tif 000010
【図１０】
0004056693.tif 000011
【図１１】
0004056693.tif 000012
【図１２】
0004056693.tif 000013
【図１３】
0004056693.tif 000014
【図１４】
0004056693.tif 000015
【図１５】
0004056693.tif 000016
【図１６】
0004056693.tif 000017
【図１７】
0004056693.tif 000018
【図１８】
0004056693.tif 000019
【図１９】
0004056693.tif 000020
【図２０】
0004056693.tif 000021
【図２１】
0004056693.tif 000022
【図２２】
0004056693.tif 000023
【図２３】
0004056693.tif 000024
【図２４】
0004056693.tif 000025
【図２５】
0004056693.tif 000026
【図２６】
0004056693.tif 000027